(57)【要約】【課題】ツーウェイ式の芳香剤容器において、使用開始時に初めて芳香剤を揮散体に浸漬させることができ、しかも、その際にカバー体を取り外す必要のない芳香剤容器を提供する。【解決手段】装着体20の内螺筒部27に対する外螺筒部41の回動に伴い昇降可能な昇降体40と、昇降体40と一体回転可能な外筒部71を有するカバー体70と、を設け、装着体20には、天壁部22の内周縁に周方向に間隔を空けて配置されると共に吸上芯30の円筒状の上部30aを挟持する複数の柱状部24と、複数の柱状部24の上端に繋がると共に噴霧ポンプ60が取り付けられる取付筒部26と、を設け、揮散体50を、昇降体40の天面壁部42に載置固定し、昇降体40の上昇にて吸上芯30の上部30aと非接触とさせる一方、昇降体40の下降にて吸上芯30の上部30aと接触させる。【選択図】図１
2015163516.tif 000002
【特許請求の範囲】
【請求項１】
容器体内の芳香剤を吸上芯で吸い上げて揮散させる揮散体と、頭部の押し下げにて前記容器体内の前記芳香剤を吸い上げて該頭部の噴霧口から噴霧する噴霧ポンプと、を備える芳香剤容器において、
前記容器体の口部に装着される装着筒部、該装着筒部の上端に繋がる環状の天壁部、該天壁部の外周縁に垂設された内螺筒部、及び該内螺筒部の下端に繋がる外向きフランジ部を有する装着体と、
前記装着体の内螺筒部の外周面に螺着する外螺筒部、及び該外螺筒部の上部に繋がり径方向内側に延びる環状の天面壁部を有し、前記内螺筒部に対する前記外螺筒部の回動に伴い昇降可能な昇降体と、
前記昇降体と一体回転可能な外筒部、及び該外筒部の上部に繋がり前記揮散体を取り囲むと共に該揮散体から揮散した芳香剤を外部に放出する複数の開口が形成された天井壁部を有するカバー体と、を備え、
前記吸上芯は、少なくとも上部が円筒状に形成されており、
前記装着体は、前記天壁部の内周縁に周方向に間隔を空けて配置されると共に前記吸上芯の円筒状の上部を挟持する複数の柱状部と、該複数の柱状部の上端に繋がると共に前記噴霧ポンプが取り付けられる取付筒部と、を有し、
前記揮散体は、前記昇降体の天面壁部に載置固定され、前記昇降体の上昇にて前記吸上芯の円筒状の上部と非接触となる一方、前記昇降体の下降にて前記吸上芯の円筒状の上部と接触することを特徴とする芳香剤容器。
【請求項２】
前記カバー体の外筒部の下端縁と、前記装着体の外向きフランジ部の上面との間に取り去り可能に配置されるストッパを備え、
前記ストッパは、前記カバー体の外筒部の下端縁と前記装着体の外向きフランジ部の上面との間に配置されることで前記昇降体の下降を防止して、前記揮散体と前記吸上芯の円筒状の上部との接触を防止する、請求項１に記載の芳香剤容器。
【請求項３】
噴霧ポンプの頭部は円柱状を成しており、
前記カバー体の天井壁部は、前記外筒部の上部から前記噴霧ポンプの頭部外周面上端までドーム状に湾曲しており、
前記ストッパを取り去り、前記外筒部の下端縁を前記装着体の外向きフランジ部の上面に当接させることで、前記噴霧ポンプの頭部が前記天井壁部から突出する、請求項２に記載の芳香剤容器。
【発明の詳細な説明】
【技術分野】
【０００１】
本発明は、容器体内の芳香剤を吸上芯で吸い上げて揮散させる揮散体と、頭部の押し下げにて容器体内の芳香剤を吸い上げて噴霧する噴霧ポンプと、を備える芳香剤容器に関し、特に、カバー体の取り外しなしに、使用開始時に初めて、芳香剤を揮散体に浸漬させようとするものである。
【背景技術】
【０００２】
従来、揮散体と噴霧ポンプの双方を備え、通常時には芳香剤を揮散体から揮散させて外部に分散させる据え置きタイプとして使用できる一方、比較的多量の芳香剤を短時間で外部に与えたい場合には、噴霧ポンプから芳香剤を噴霧できるようにした、所謂ツーウェイ式の芳香剤容器が知られている。
【０００３】
このようなツーウェイ式の芳香剤容器として、例えば特許文献１に記載されるようなものが知られている。特許文献１では、容器体に２つの口部を設け、一方の口部に、吸上芯を保持する芯保持筒を装着すると共に、他方の口部に、噴霧ポンプを取り付けている。また、芯保持筒と噴霧ポンプの基端部とを覆うカバー体を設け、該カバー体の内側に揮散体を保持している。そして、カバー体を容器体に取り付けると、揮散体が吸上芯に接触し、容器体内から吸上芯で吸い上げられた芳香剤が、揮散体から揮散し、カバー体に形成された複数の開口から外部へ放出されるようになっている。
【先行技術文献】
【特許文献】
【０００４】
【特許文献１】実用新案登録第２５８５２９３号公報
【発明の概要】
【発明が解決しようとする課題】
【０００５】
ところで、このような芳香剤容器では、流通時には、芳香剤を揮散体に浸漬させず、ユーザーが使用開始した時に初めて芳香剤を揮散体に浸漬させることが好ましい。すなわち、このようにすることで、使用開始時に強烈な芳香の発生を防止でき、外部に対して徐々に芳香を与えることができる。
【０００６】
特許文献１に記載される芳香剤容器では、流通時には、芯保持筒の上面にシール板が剥離可能に貼着されており、使用開始時にカバー体を取り外して剥離するようになっている。このため、前述したような使用開始時の強烈な芳香の発生は防止される。しかしながら、使用開始時に、カバー体を取り外し、シール板を剥離し、カバー体を取り付ける必要があるため、より容易に芳香剤を揮散体に浸漬させられる構成が求められていた。
【０００７】
本発明は、前記の課題を解決するため開発されたもので、ツーウェイ式の芳香剤容器において、使用開始時に初めて芳香剤を揮散体に浸漬させることができ、しかも、その際にカバー体を取り外す必要のない芳香剤容器を提供することを目的とする。
【課題を解決するための手段】
【０００８】
すなわち、本発明の要旨構成は以下のとおりである。
１．容器体内の芳香剤を吸上芯で吸い上げて揮散させる揮散体と、頭部の押し下げにて前記容器体内の前記芳香剤を吸い上げて該頭部の噴霧口から噴霧する噴霧ポンプと、を備える芳香剤容器において、
前記容器体の口部に装着される装着筒部、該装着筒部の上端に繋がる環状の天壁部、該天壁部の外周縁に垂設された内螺筒部、及び該内螺筒部の下端に繋がる外向きフランジ部を有する装着体と、
前記装着体の内螺筒部の外周面に螺着する外螺筒部、及び該外螺筒部の上部に繋がり径方向内側に延びる環状の天面壁部を有し、前記内螺筒部に対する前記外螺筒部の回動に伴い昇降可能な昇降体と、
前記昇降体と一体回転可能な外筒部、及び該外筒部の上部に繋がり前記揮散体を取り囲むと共に該揮散体から揮散した芳香剤を外部に放出する複数の開口が形成された天井壁部を有するカバー体と、を備え、
前記吸上芯は、少なくとも上部が円筒状に形成されており、
前記装着体は、前記天壁部の内周縁に周方向に間隔を空けて配置されると共に前記吸上芯の円筒状の上部を挟持する複数の柱状部と、該複数の柱状部の上端に繋がると共に前記噴霧ポンプが取り付けられる取付筒部と、を有し、
前記揮散体は、前記昇降体の天面壁部に載置固定され、前記昇降体の上昇にて前記吸上芯の円筒状の上部と非接触となる一方、前記昇降体の下降にて前記吸上芯の円筒状の上部と接触することを特徴とする芳香剤容器。
【０００９】
２．前記カバー体の外筒部の下端縁と、前記装着体の外向きフランジ部の上面との間に取り去り可能に配置されるストッパを備え、
前記ストッパは、前記カバー体の外筒部の下端縁と前記装着体の外向きフランジ部の上面との間に配置されることで前記昇降体の下降を防止して、前記揮散体と前記吸上芯の円筒状の上部との接触を防止する、前記１の芳香剤容器。
【００１０】
３．噴霧ポンプの頭部は円柱状を成しており、
前記カバー体の天井壁部は、前記外筒部の上部から前記噴霧ポンプの頭部外周面上端までドーム状に湾曲しており、
前記ストッパを取り去り、前記外筒部の下端縁を前記装着体の外向きフランジ部の上面に当接させることで、前記噴霧ポンプの頭部が前記天井壁部から突出する、前記２の芳香剤容器。
【発明の効果】
【００１１】
本発明によれば、流通時などには、昇降体を上昇させた状態にして、昇降体の天面壁部に載置固定された揮散体と、吸上芯の円筒状の上部とを互いに非接触とすることで、芳香剤の揮散体への浸漬を防止することができる。また、使用開始時には、カバー体を回転させることで、昇降体をカバー体と一体回転させて下降させ、揮散体と、吸上芯の円筒状の上部とを、装着体の複数の柱状部相互間の隙間を介して互いに接触させることができる。したがって、使用開始時に初めて芳香剤を揮散体に浸漬させることができ、しかも、その際にカバー体を取り外す必要もない。
【００１２】
また、噴霧ポンプが取り付けられる取付筒部を、複数の柱状部を介して天壁部の内周縁に連設したので、噴霧ポンプを装着体に取り付けることができ、比較的多量の芳香剤を短時間で外部に与えたい場合には、噴霧ポンプから芳香剤を噴霧することもできるツーウェイ式の芳香剤容器とすることができる。
【００１３】
したがって、本発明によれば、ツーウェイ式の芳香剤容器において、使用開始時に初めて芳香剤を揮散体に浸漬させることができ、しかも、その際にカバー体を取り外す必要のない芳香剤容器を提供することができる。
【図面の簡単な説明】
【００１４】
【図１】本発明の一実施形態に係る芳香剤容器の一部断面側面図であり、昇降体を上昇させた状態を示す。
【図２】図１の芳香剤容器の一部断面側面図であり、昇降体を下降させた状態を示す。
【発明を実施するための形態】
【００１５】
以下、図１〜図２を参照して、本発明の一実施形態に係る芳香剤容器１について詳細に例示説明する。
なお、本明細書において、上下方向とは、昇降体４０の外螺筒部４１の軸線Ｏに沿う方向を意味し、上方とは、昇降体４０の天面壁部４２から見て揮散体５０が位置する側に向かう方向（すなわち、図１における上方）、下方とは、その反対側に向かう方向（すなわち、図１における下方）を意味するものとする。
【００１６】
図１に示すように、芳香剤容器１は、容器体１０と、装着体２０と、吸上芯３０と、昇降体４０と、揮散体５０と、噴霧ポンプ６０と、カバー体７０とを備える。容器体１０は、軸線Ｏを中心とする円筒状の口部１１を有するボトル状を成しており、口部１１から拡径する肩部１２、肩部１２に連なり、やはり軸線Ｏを中心とする円筒状の胴部１３、及び胴部１３の下端を閉塞する底部１４を有している。容器体１０の内部には、液状の芳香剤（図示省略）が収納されている。
【００１７】
容器体１０の口部１１の外周面には、軸線Ｏを中心とする雄ねじ１１ａが形成されている。該雄ねじ１１ａには、装着体２０の装着筒部２１の内周面に形成された雌ねじ２１ａが螺着することで、装着体２０が容器体１０に取り付けられている。また、装着筒部２１の内周面下端には、雌ねじ２１ａの締め終わりに、雄ねじ１１ａの下方に形成された係合突起１１ｂと嵌合する、回り止め用の凹部２１ｂが形成されている。なお、係合突起１１ｂと凹部２１ｂとは、凹凸関係を逆転させた構成としてもよい。また、容器体１０に対する装着体２０の取り付け構造は、雄ねじ１１ａ及び雌ねじ２１ａを用いる構成に限定されず、これに代えて、互いに乗越えによって係止する凹凸部を設けるようにしてもよい。
【００１８】
装着筒部２１の上端には、環状の天壁部２２の径方向中間部が連設されており、天壁部２２の径方向内側端には環状のシール壁部２３が垂設されている。装着体２０が容器体１０に取り付けられた状態で、天壁部２２が、容器体１０の口部１１の上面に当接し、シール壁部２３が、口部１１の内周面に当接することにより、口部１１の内周面及び上面に沿う液漏れを防止している。
【００１９】
また、天壁部２２の径方向内側端には、天壁部２２の内周縁から立ち上がる周方向に間隔を空けて配置された複数の柱状部２４が形成されている。これら複数の柱状部２４の上端には、軸線Ｏを中心とする内向きフランジ部２５が連設されている。
【００２０】
複数の柱状部２４には、吸上芯３０の円筒状の上部が挟持されている。吸上芯３０は、本例では、軸線Ｏを中心とする円筒状を成しており、該吸上芯３０の上部３０ａが複数の柱状部２４に挟持されることで、該吸上芯３０の下部が容器体１０内に垂下し、容器体１０内の芳香剤を吸い上げられるようになっている。また、吸上芯３０の円筒状の上部３０ａは、複数の柱状部２４に接触する部分のみが局所的に、吸上芯３０の径方向内側に変形するようになっている。
【００２１】
内向きフランジ部２５の径方向内側端には、噴霧ポンプ６０が取り付けられる取付筒部２６が立設されている。取付筒部２６の外周面には、軸線Ｏを中心とする雄ねじ２６ａが形成されている。雄ねじ２６ａには、噴霧ポンプ６０の取付筒体６１に形成された雌ねじ６１ａが螺着されている。なお、雄ねじ２６ａ及び雌ねじ６１ａに代えて、互いに乗越えによって係止する凹凸部を設けることで、噴霧ポンプ６０を取付筒部２６に取り付けるようにしてもよい。
【００２２】
噴霧ポンプ６０は、それ自体公知の構成のものであり、取付筒部２６に取付筒体６１を取り付けることによって、シリンダ６２が取付筒部２６に固定され、頭部６３の押し下げにて、吸上パイプ６４を通じて容器体１０内の芳香剤を吸い上げ、頭部６３の噴霧口６３ａから芳香剤を噴霧できるようになっている。また、噴霧ポンプ６０の頭部６３は、本例では、円柱状をなしている。
【００２３】
装着体２０の天壁部２２の径方向外側端には、内螺筒部２７が垂設されている。内螺筒部２７の外周面には、軸線Ｏを中心とする雄ねじ部２７ａが形成されている。また、天壁部２２の径方向外側端には、環状のシール壁２８が立設されている。環状のシール壁２８の外周面には、後述する昇降体４０の外螺筒部４１の内周面と液密に摺設するシール突起２８ａが周設されている。内螺筒部２７の下端には、外向きフランジ部２９が連設されている。
【００２４】
装着体２０の内螺筒部２７の雄ねじ部２７ａには、昇降体４０の外螺筒部４１の内周面に形成された雌ねじ部４１ａが螺着している。外螺筒部４１の上部（本例では上端）には、径方向内側に延びる環状の天面壁部４２が連設されている。天面壁部４２の径方向内側端縁には、シール筒壁４３が垂設されている。シール筒壁４３の内周面は、装着体２０の内向きフランジ部２５の外周面と液密に摺接するようになっている。
【００２５】
昇降体４０の天面壁部４２の上面には、環状の揮散体５０が載置固定されている。揮散体５０は、本例では、中央に円形の貫通孔を有する円板状を成し、該揮散体５０の内周面５０ａが、昇降体４０の天面壁部４２の内側端縁上に配置されている。そして、この状態で、後述するカバー体７０の天井壁部７３の裏面から垂下する縦リブ７３ｂによって固定されている。すなわち、本例では、カバー体７０と昇降体４０とは、カバー体７０の外筒部７１の内周面に形成された係合凹部７１ａと、昇降体４０の外螺筒部４１の外周面に形成された係合凸部４１ｂとが互いに嵌合することで一体化されており、縦リブ７３ｂは、揮散体５０の縦断面形状と補完形状となる切り欠き７３ｃを有している。なお、カバー体７０と昇降体４０との一体化については、その他の手段を用いることもでき、例えば、係合凹部７１ａを外螺筒部４１側に設け、係合凸部４１ｂを外筒部７１側に設けてもよいし、このような凹凸による嵌合に代えて、接着剤等を用いた接合によって一体化してもよい。また、揮散体５０の固定は、縦リブ７３ｂに代えて、例えば、天面壁部４２の上面への接合によって行うこともできる。なお、揮散体５０は、例えば、フェルト、不織布又は濾紙等の吸水性素材で構成することができる。
【００２６】
昇降体４０の外側には、揮散体５０を取り囲むカバー体７０が配置されている。カバー体７０は、昇降体４０と一体回転可能な外筒部７１を有している。カバー体７０の外筒部７１の下端縁と、装着体２０の外向きフランジ部２９の上面との間には、ストッパ７２が、取り去り可能に配置されている。ストッパ７２は、カバー体７０の外筒部７１の下端縁と装着体２０の外向きフランジ部２９の上面との間に配置されることで昇降体４０の下降を防止して、揮散体５０と吸上芯３０の円筒状の上部３０ａとの接触を防止するものである。ストッパ７２は、本例では、カバー体７０とは別体の、断面Ｃ字形状を成すＣ字リングとして構成され、該ストッパ７２の開放端を変形させることで、装着体２０の内螺筒部２７の外周面上から引き抜き除去できるようになっている。なお、ストッパ７２は、このような構成に限られず、例えば、カバー体７０の外筒部７１の下端縁に、脆弱部の破断にて切り取り除去可能に接続された切り取り予定部として構成することもできる。
【００２７】
ストッパ７２の下端面は、装着体２０の外向きフランジ部２９の上面に当接している。外筒部７１の上部には、外筒部７１の上部から噴霧ポンプ６０の頭部６３外周面上端までドーム状に湾曲する天井壁部７３が連設されている。天井壁部７３には、揮散体５０から揮散した芳香剤を外部に放出する複数の開口７４を有している。天井壁部７３の径方向内側端縁には、内筒部７５が垂設されている。また、天井壁部７３の上部には、噴霧ポンプ６０の頭部６３の噴霧口６３ａから噴霧される芳香剤の噴出経路を形成するための径方向に延在する凹部７３ａが、該天井壁部７３を湾曲させることによって形成されている。
【００２８】
かかる構成によれば、流通時などには、図１に示したように昇降体４０を上昇させた状態にして、昇降体４０の天面壁部４２に載置固定された揮散体５０と、吸上芯３０の円筒状の上部３０ａとを互いに非接触とすることで、芳香剤の揮散体５０への浸漬を防止することができる。また、この際、装着体２０のシール突起２８ａと昇降体４０の外螺筒部４１の内周面とが互いに液密に当接すると共に、昇降体４０のシール筒壁４３の内周面と装着体２０の内向きフランジ部２５の外周面とが互いに液密に当接するため、芳香剤容器１を転倒させた際の液漏れを防止することができる。
【００２９】
また、本例では、ストッパ７２を、カバー体７０の外筒部７１の下端縁と、装着体２０の外向きフランジ部２９の上面との間に配置しているため、昇降体４０の下降を防止して、揮散体５０と吸上芯３０の円筒状の上部３０ａとの接触を防止することができる。
【００３０】
さらに、本例では、ストッパ７２を、カバー体７０の外筒部７１の下端縁と、装着体２０の外向きフランジ部２９の上面との間に配置することで、カバー体７０の天井壁部７３の上面が、凹部７３ａを除き、噴霧ポンプ６０の頭部６３の上面と面一に位置しているため、芳香剤容器１の積載時等において、噴霧ポンプ６０の頭部６３の押し下げを防止することができる。また、その際、噴霧ポンプ６０の頭部６３に作用する荷重をカバー体７０にも分担させることができ、頭部６３を保護することができる。
【００３１】
そして、使用開始時には、カバー体７０のストッパ７２を取り去り、カバー体７０を回転させることで、昇降体４０を、カバー体７０と一体回転させて、図２に示すような下降状態とし、揮散体５０の内周面５０ａと、吸上芯３０の円筒状の上部３０ａの外周面とを、装着体２０の複数の柱状部２４相互間の隙間を介して互いに接触させることができる。したがって、使用開始時に初めて芳香剤を揮散体５０に浸漬させることができ、しかも、その際にカバー体７０を取り外す必要がない。
【００３２】
また、図２に示したように、外筒部７１の下端縁を装着体２０の外向きフランジ部２９の上面に当接させることで、噴霧ポンプ６０の頭部６３が天井壁部７３から突出する。したがって、比較的多量の芳香剤を短時間で外部に与えたい場合には、噴霧ポンプ６０の頭部６３を押し下げて、噴霧ポンプ６０から芳香剤を噴霧することができる。
【００３３】
また、噴霧ポンプ６０が取り付けられる取付筒部２６を、複数の柱状部２４及び内向きフランジ部２５を介して天壁部２２の内周縁に連設したので、噴霧ポンプ６０を装着体２０に取り付けることができ、噴霧ポンプ６０からの噴霧と揮散体５０からの揮散とを両立させたツーウェイ式の芳香剤容器１とすることができる。
【００３４】
上述したところは、本発明の一実施形態を示したにすぎず、特許請求の範囲において、種々の変更を加えることができる。例えば、揮散体５０は、中央に円形の貫通孔を有する円板状を成すものとして説明したが、必ずしもこのような形状に限定される必要はなく、昇降体４０の上昇にて吸上芯３０の円筒状の上部３０ａと非接触となる一方、昇降体４０の下降にて吸上芯３０の円筒状の上部３０ａと接触することができる限り、任意の形状のものを用いることができる。また、吸上芯３０は円筒状を成すものとして説明したが、吸上芯３０は、少なくとも上部３０ａが円筒状を成すと共に、容器体１０内の芳香剤を吸い上げられるようになっていればよい。
【符号の説明】
【００３５】
１  芳香剤容器
１０  容器体
１１  口部
１１ａ  雄ねじ
１１ｂ  係合突起
１２  肩部
１３  胴部
１４  底部
２０  装着体
２１  装着筒部
２１ａ  雌ねじ
２１ｂ  凹部
２２  天壁部
２３  シール壁部
２４  柱状部
２５  内向きフランジ部
２６  取付筒部
２６ａ  雄ねじ
２７  内螺筒部
２７ａ  雄ねじ部
２８  シール壁
２８ａ  シール突起
２９  外向きフランジ部
３０  吸上芯
３０ａ  吸上芯の上部
４０  昇降体
４１  外螺筒部
４１ａ  雌ねじ部
４１ｂ  係合凸部
４２  天面壁部
４３  シール筒壁
５０  揮散体
５０ａ  揮散体の内周面
６０  噴霧ポンプ
６１  取付筒体
６１ａ  雌ねじ
６２  シリンダ
６３  頭部
６３ａ  噴霧口
６４  吸上パイプ
７０  カバー体
７１  外筒部
７１ａ  係合凹部
７２  ストッパ
７３  天井壁部
７３ａ  凹部
７３ｂ  縦リブ
７３ｃ  切り欠き
７４  開口
７５  内筒部
Ｏ  軸線
【図１】
2015163516.tif 000003
【図２】
2015163516.tif 000004